(57)【要約】【課題】より確実に電子写真用フェライトキャリアコア材の備える粉体特性を示すことの出来る特定因子の得られる品質測定法を提供する。【解決手段】上記課題を達成するため、電子写真用フェライトキャリアコア材の品質測定法であって、交流抵抗測定法を用いインピーダンス測定を行い、Ｘ軸に実数インピーダンス（Ｚ’）、Ｙ軸に虚数インピーダンス（Ｚ’’）を配したナイキスト線図を得て、このナイキスト線図を用いて電子写真用フェライトキャリアコア材の品質評価を行うことを特徴とした電子写真用フェライトキャリアコア材の品質測定法を採用する。ここで、所定の等価回路を採用し、インピーダンス測定したときに得られる各交流抵抗値（定数を含む）である、｜Ｒｓ｜、Ｒｐ１、ＣＰＥ−Ｔ１、ＣＰＥ−Ｐ１、Ｒｐ２、ＣＰＥ−Ｔ２、ＣＰＥ−Ｐ２の値を電子写真用フェライトキャリアコア材品質の判断を行う。【選択図】図１
2008250225.tif 000002
【特許請求の範囲】
【請求項１】
電子写真用フェライトキャリアコア材の品質測定法であって、
交流抵抗測定法を用い、当該電子写真用フェライトキャリアコア材のインピーダンス測定を行い、Ｘ軸に実数インピーダンス（Ｚ’）、Ｙ軸に虚数インピーダンス（Ｚ’’）を配したナイキスト線図（Ｃｏｌｅ−Ｃｏｌｅプロット）を得て、このナイキスト線図を用いて電子写真用フェライトキャリアコア材粒子の特性を評価することを特徴とした電子写真用フェライトキャリアコア材の品質測定法。
【請求項２】
前記交流抵抗測定法で印加する周波数０．０１Ｈｚ〜１ＭＨｚの範囲で変化させてナイキスト線図（Ｃｏｌｅ−Ｃｏｌｅプロット）を得るものである請求項１に記載の電子写真用フェライトキャリアコア材の品質測定法。
【請求項３】
前記ナイキスト線図から得られるパラメータを用いて電子写真用フェライトキャリアコア材粒子の一粒子ごとの状態を評価する請求項１又は請求項２に記載の電子写真用フェライトキャリアコア材の品質測定法。
【請求項４】
前記キャリア粒子を交流抵抗測定法で、以下の数１に示す等価回路でもってインピーダンス測定したときに得られる各交流抵抗値（定数を含む）である、｜Ｒｓ｜、Ｒｐ１、ＣＰＥ−Ｔ１、ＣＰＥ−Ｐ１、Ｒｐ２、ＣＰＥ−Ｔ２、ＣＰＥ−Ｐ２の各値の１種又は２種以上の値を組み合わせて電子写真用フェライトキャリアコア材品質の判断を行う請求項１〜請求項３のいずれかに記載の電子写真用フェライトキャリアコア材の品質測定法。
【数１】
2008250225.tif 000005
【数２】
2008250225.tif 000006
【請求項５】
電子写真用フェライトキャリアコア材粒子の一粒子ごとの状態を評価するパラメータとして、ＣＰＥ−Ｐ１を主に用いるものである請求項４に記載の電子写真用フェライトキャリアコア材の品質測定法。
【請求項６】
前記ナイキスト線図に現れる粒子の一粒子ごとの状態を表す時定数τ１と、粒子の粉体としての状態を表す時定数τ２との関係を用いて電子写真用フェライトキャリアコア材品質の判断を行う請求項１〜請求項５のいずれかに記載の電子写真用フェライトキャリアコア材の品質測定法。
【請求項７】
前記粒子の表面付近の状態を表す時定数τ１がτ１＝Ｒｐ１×（ＣＰＥ−Ｔ１）、粒子の粉体としての状態を表す時定数τ２がτ２＝Ｒｐ２×（ＣＰＥ−Ｔ２）を用いる請求項６に記載の電子写真用フェライトキャリアコア材の品質測定法。
【発明の詳細な説明】
【技術分野】
【０００１】
本件出願は、コピー機等の電子写真現像装置で用いるトナーと併用される電子写真用フェライトキャリアコア材の品質測定方法に関する。
【背景技術】
【０００２】
電子写真用フェライトキャリアコア材は、略球形に代表される形状のフェライト粒子であり、一般的には、フェライト粒子が集合したフェライト粉としての概念が適用される。従って、その品質評価には、粉体に適用される評価方法が広く適用されてきた。
【０００３】
例えば、特許文献１には、キャリア飛散を防止し、高品位な画質が得ることのできる電子写真現像剤用キャリア及び該キャリアを用いた現像剤の提供を目的として、球状磁性キャリア芯材の体積平均粒径が２５〜４５μｍ、キャリア粒子の平均空隙径が１０〜２０μｍ、体積粒度分布測定による粒径２２μｍ以下が１％未満、磁場１ＫＯｅにおける磁化が６７〜８８ｅｍｕ／ｇ、飛散物と本体との磁化の差が磁場１ＫＯｅにおいて１０ｅｍｕ／ｇ以下であることを特徴とする電子写真現像剤用キャリアを採用することが明記されている。即ち、キャリア飛散を防止し、高品位な画質が得ることのできる電子写真現像剤用キャリアの特定に、体積粒度分布測定（体積平均粒径）、平均空隙径、磁化特性の各特性を用いて電子写真現像剤用キャリアの特定を行っている。
【０００４】
また、特許文献２では、現像機内及びスリーブ上での流動性が良好で、キャリア付着、トナー飛散、カブリがなく、高画像濃度、細線やドットの再現性等に優れた高画質が長期にわたって達成できる電子写真現像剤用キャリアが開示されている。この電子写真現像剤用キャリアは、「Ｆ１＝ＡＤ×ＦＲ」で示される流動性指数（Ｆ１）が６３〜７５ｓｅｃ／（５０・ｃｍ３）、及び「Ｆ２＝ＡＤ×Ｈｃ」で示される流動性指数（Ｆ２）が３０〜１００Ｏｅ・ｇ／ｃｍ３であることを特徴とする電子写真現像剤用キャリアを採用している。また、３０００Ｏｅの印加磁場における飽和磁化が２０〜４５ｅｍｕ／ｇであることも好ましいとしている。なお、特許文献２において、ＡＤは見掛け密度（ｇ／ｃｍ３）、ＦＲは流動度（ｓｅｃ／５０ｇ）、Ｈｃ（Ｏｅ）は保磁力を示している。即ち、特許文献２では、流動性指数、見掛け密度、流動度、保磁力、飽和磁化の各要素を電子写真現像剤用キャリアの特定に用いていると言える。
【０００５】
更に、特許文献３は、低抵抗化され、かつ高比表面積であり、低比重で長寿命化された不定形フェライトキャリアコア材及び該フェライトキャリアコア材を用いることによって、トナー飛散が防止され、高画像濃度で、高速化及びカラー化に対応できる電子写真現像剤の提供を目的としている。この目的を達成するため、粒子形状が不定形であり、４０個数％以上がロック型氷砂糖形状及び／又は牡蠣殻形状の粒子であり、形状係数（ＳＦ−１＝Ｒ２／Ｓ×π／４×１００（Ｒは最大長、Ｓは面積をそれぞれ示す））が１４０〜２５０、その分布幅（δ）が６０以下であることを特徴とする不定形フェライトキャリアコア材を採用している。そして、その他の特定因子として、見掛け密度、比表面積、平均粒径、飽和磁化、抵抗の各要素の最適な範囲を明示している。即ち、特許文献３では、これらの全ての特定因子を電子写真現像剤用キャリアの特定のために用いていると言える。
【０００６】
以上の述べてきたように、良好な品質の電子写真現像剤用フェライトキャリアコア材を特定するためには、上述のような特定因子を使用することが一般的に行われてきた。そして、総じて、良好な結果を残してきた。
【０００７】
【特許文献１】特開２００２−２９６８４６号公報
【特許文献２】特開２００２−３５７９３０号公報
【特許文献３】特開２００６−２３５４６０号公報
【発明の開示】
【発明が解決しようとする課題】
【０００８】
しかしながら、それぞれのフェライトキャリアコア材が、各特許文献の中で開示された特性の範囲に含まれても、目的とした品質を得られない場合もあるのが現実である。即ち、工業製品である限り、一定のレベルでの品質バラツキがあるのが通常だからである。
【０００９】
例えば、電子顕微鏡観察により、電子写真現像剤用フェライトキャリアコア材の粒子の表面の状態を観察すると、明らかに表面状態が異なる２種類の製品があると仮定する。この場合にも、特許文献１で用いた特定因子である体積粒度分布測定（体積平均粒径）、平均空隙径、磁化特性の各特性においては、殆ど一致する場合がある。そして、係る場合には、特許文献１で目的としたキャリア飛散を防止し、高品位な画質が得るという目的を達成できない製品が存在し、製品バラツキとして顕在化することになる。
【００１０】
また、例えば、電子写真用フェライトキャリアコア材の走査型電子顕微鏡観察像から判断できる粒子の表面状態と、ＢＥＴ比表面積の測定結果から判断できる粒子の表面状態とが一致しないという現実がある。ここで言う、ＢＥＴ比表面積は、電子写真用フェライトキャリアコア材の表面状態の評価指標として多用される。ところが、粒子の粒径が小さくなるほど、粒径の依存性が強くなり、大きな値が得られる。一方、電子写真用フェライトキャリアコア材粒子の内包された気泡、空隙（完全に表面とつながっていないと考えられる部分）の測定は不可能で、電子写真用フェライトキャリアコア材のバルク部分の備えるポーラスの状況を示す指標にはならないと言える。そもそも、ＢＥＴ比表面積は、１ｍ２／ｇ以上のものを測定するためのものであり、コア材のような比較的比表面積が小さい場合の粒子を測定できるだけの精度は十分ではない。また、レーザー回折式散乱分析法による体積平均粒径（Ｄ５０）の値も、一定の体積累積粒径の粒度分布の中での平均値であり、粒度分布の測定精度によって、大きく変動するものである。これに対して、走査型電子顕微鏡観察像又はその画像解析法では、１粒子ごとの表面状態は理解できても、粉体を構成する粒子全体として、どの程度の表面性を持った電子写真用フェライトキャリアコア材であるかという判断ができないのが実状である。
【００１１】
以上のように、上記各特許文献の使用していたフェライトキャリアコア材の特定因子に加えて、より確実にフェライトキャリアコア材の備える粉体特性を、より正確に捉え得ることのできる特定因子を探し、使用することが望まれてきた。
【課題を解決するための手段】
【００１２】
そこで、本件発明者等が、鋭意研究した結果、従来の電子写真現像剤用フェライトキャリアコア材の評価方法又は特定因子は、当該電子写真現像剤用フェライトキャリアコア材の全体としての評価であると考えた。その結果、電子写真現像剤用フェライトキャリアコア材の粒子の一粒子ごとの状態と粒子の粉体としての状態とを分離して考ることができれば、電子写真現像剤用フェライトキャリアコア材の製品バラツキを減少できると考えた。その結果、本件出願に係る電子写真用フェライトキャリアコア材の品質測定法に想到した。以下、本件発明に関して述べる。
【００１３】
本件出願に係る電子写真用フェライトキャリアコア材の品質測定法は、交流抵抗測定法を用い、当該電子写真用フェライトキャリアコア材のインピーダンス測定を行い、Ｘ軸に実数インピーダンス（Ｚ’）、Ｙ軸に虚数インピーダンス（Ｚ’’）を配したナイキスト線図（Ｃｏｌｅ−Ｃｏｌｅプロット）を得て、このナイキスト線図を用いて電子写真用フェライトキャリアコア材粒子の特性を評価することを特徴としたものである。
【００１４】
本件出願に係る電子写真用フェライトキャリアコア材の品質測定法において、前記交流抵抗測定法で印加する周波数０．０１Ｈｚ〜１ＭＨｚの範囲で変化させてナイキスト線図（Ｃｏｌｅ−Ｃｏｌｅプロット）を得ることが好ましい。
【００１５】
本件出願に係る電子写真用フェライトキャリアコア材の品質測定法において、前記ナイキスト線図から得られるパラメータを用いて電子写真用フェライトキャリアコア材粒子の一粒子ごとの状態を評価することがこのましい。
【００１６】
本件出願に係る電子写真用フェライトキャリアコア材の品質測定法において、前記キャリア粒子を交流抵抗測定法で、後述する数３に示す等価回路でもってインピーダンス測定したときに得られる各交流抵抗値（定数を含む）である、｜Ｒｓ｜、Ｒｐ１、ＣＰＥ−Ｔ１、ＣＰＥ−Ｐ１、Ｒｐ２  、ＣＰＥ−Ｔ２、ＣＰＥ−Ｐ２の各値の１種又は２種以上の値を組み合わせて電子写真用フェライトキャリアコア材品質の判断を行う事が好ましい。
【００１７】
そして、本件出願に係る電子写真用フェライトキャリアコア材の品質測定法において、電子写真用フェライトキャリアコア材粒子の一粒子ごとの状態を評価するパラメータには、ＣＰＥ−Ｐ１を主に用いることが好ましい。
【００１８】
本件出願に係る電子写真用フェライトキャリアコア材の品質測定法において、前記ナイキスト線図に現れる粒子の一粒子ごとの状態を表す時定数τ１と、粒子の粉体としての状態を表す時定数τ２との関係を用いて電子写真用フェライトキャリアコア材品質の判断を行う事が好ましい。
【００１９】
また、前記時定数には、粒子の表面付近の状態を表す時定数τ１がτ１＝Ｒｐ１×（ＣＰＥ−Ｔ１）、粒子の粉体としての状態を表す時定数τ２がτ２＝Ｒｐ２×（ＣＰＥ−Ｔ２）を用いる事が好ましい。
【発明の効果】
【００２０】
本件出願に係る電子写真用フェライトキャリアコア材の品質測定法は、交流抵抗測定法を用いることで、電子写真用フェライトキャリアコア材の粒子の一粒子ごとの状態と粒子の粉体としての状態との情報を同時且つ分離して取得することができる。従って、粒子の一粒子ごとの状態と粒子の粉体としての状態とを独自で判断する指標として用いることが出来る。その結果、上記各特許文献に示された特定因子と組み合わせて用いることで、電子写真用フェライトキャリアコア材を従来に無いレベルで選別可能とする。その結果、コピー機等の電子写真現像装置の装置毎の特性に合わせた電子写真用フェライトキャリアコア材の選別が可能となる。
【発明を実施するための最良の形態】
【００２１】
以下、本件出願に係る電子写真用フェライトキャリアコア材の品質測定法の実施形態に関して述べる。本件出願に係る電子写真用フェライトキャリアコア材の品質測定法は、交流抵抗測定法を用い、当該電子写真用フェライトキャリアコア材のインピーダンス測定を行い、Ｘ軸に実数インピーダンス（Ｚ’）、Ｙ軸に虚数インピーダンス（Ｚ’’）を配したナイキスト線図（Ｃｏｌｅ−Ｃｏｌｅプロット）を得ることに始まる。
【００２２】
ここで最初に、本件出願の前記交流抵抗測定法で印加する周波数に関して述べておく。印加する周波数は、０．０１Ｈｚ〜１ＭＨｚの範囲で変化させて、ナイキスト線図（Ｃｏｌｅ−Ｃｏｌｅプロット）を得ることが好ましい。ナイキスト線図を作成し、それを用いて各応答成分を算出するにあたって、０．０１Ｈｚ〜１ＭＨｚの広範囲に及ぶ周波数を選択使用することが好ましい。この測定するための印加周波数の値が、１０Ｈｚ〜１００ｋＨｚの範囲のように狭いと、必要なパラメータを精度良く算出することが困難になるからである。
【００２３】
最初に、交流抵抗測定法を用いた理由に関して説明する。電子写真用フェライトキャリアコア材は、酸化鉄を主成分とした粒子からなる粉体である。このような粉体に対して、直流電流を用いて直流抵抗を測定しても、その電子写真用フェライトキャリアコア材の組成と粒径の影響を受けるため、粒子の表面性の指標とはなり得ない。これに対して、交流抵抗測定法では、周波数を変化させながら、インピーダンスの測定が可能である。そして、このインピーダンス測定で得られる電気的な応答を調べることで可能になる。更に、具体的に言えば、試料（ここでは、電子写真用フェライトキャリアコア材である。）に高周波電場を印加したとき、緩和時間の小さい応答成分は電場の変化に対して良好な追随性を示す。一方、緩和時間の大きい応答成分は、電流が流れる前に逆の電場が印加されるため、電場の変化の追随することができない。この結果、緩和時間の小さい応答成分と緩和時間の大きい応答成分とを抽出する事が可能となる。
【００２４】
電子写真用フェライトキャリアコア材の場合には、緩和時間の小さい応答成分が電子写真用フェライトキャリアコア材の１粒子毎の情報を含む応答成分に相当し、緩和時間の大きい応答成分が電子写真用フェライトキャリアコア材の粉体としての情報を含むものに相当すると考えられる。図１には、当該電子写真用フェライトキャリアコア材のインピーダンス測定を行い、Ｘ軸に実数インピーダンス（Ｚ’）、Ｙ軸に虚数インピーダンス（Ｚ’’）を配したナイキスト線図（Ｃｏｌｅ−Ｃｏｌｅプロット）の一例を示す。この図１から分かるように、図１に２つの半円状のプロットの円弧がある。この各々の円弧が、電子写真用フェライトキャリアコア材の１粒子毎の情報を含む応答成分、電子写真用フェライトキャリアコア材の粉体としての情報を含む応答成分となる。一般的に考えれば、図１の矢印Ａが粒子毎の情報を含む半円、矢印Ｂが粉体としての情報を含む半円と捉えることが出来る。しかしながら、電子写真用フェライトキャリアコア材粒子の形状、成分等の影響により、交流抵抗測定条件によっては一定しない。
【００２５】
図１に示すようなＣｏｌｅ−Ｃｏｌｅプロットから、直ぐに各々の電気的な応答が判断できれば問題ない。しかし、現実には、それぞれの応答成分の緩和時間を考慮して、応答成分の分離を行うことは容易ではない。そこで、フィッティング手法を用いてデータ解析する必要性が出てくる。従って、電子写真用フェライトキャリアコア材の交流抵抗測定を行う場合の等価回路を考える必要がある。一般的に、等価回路は、抵抗ＲとコンデンサＣとを組み合わせた所謂ＲＣ回路として考えられる。このときＣが、電場変化に対応する応答遅れを代用的に示すものなる。しかし、電子写真用フェライトキャリアコア材のインピーダンス測定の結果をみると、経験的に通常のＲＣ  回路で等価回路を表わすことは困難と判断した。そこで、ＣをＣｏｌｅ−Ｃｏｌｅプロットの半円の歪みを表すＣＰＥ（Ｃｏｎｓｔａｎｔ  Ｐｈａｓｅ  Ｅｌｅｍｅｎｔ）に拡張し、電子写真用フェライトキャリアコア材は、粒子表面のみに電荷がたまる金属ではなく、金属と比べて抵抗が高く粒子全体に電荷がたまるので、誘電体と同様に取り扱う事が好ましいと判断した。その結果、以下の数３に示す等価回路を採用した。
【００２６】
【数３】
2008250225.tif 000003
【００２７】
但し、Ｒｓは算出時の誤差を小さくするための仮想的な抵抗（電極表面・静電気等の影響を考慮した抵抗）であり、正負いずれの値を採りうる。ここで、ＣＰＥ−Ｔは静電容量（Ｆ）、ＣＰＥ−Ｐをある状態からのずれの程度を表す指数（無次元）としたとき、ＣＰＥ１とＣＰＥ２とのそれぞれのインピーダンスＺＣＰＥ１及びＺＣＰＥ２とは、以下の数４に示すように表せる。ここでｊは複素数を、ωは角速度を表わす。
【００２８】
【数４】
2008250225.tif 000004
【００２９】
本件出願に係る電子写真用フェライトキャリアコア材の品質測定法は、数３に示す等価回路を前提として、インピーダンス測定したときに得られる各交流抵抗値（定数を含む）を電子写真用フェライトキャリアコア材の品質測定に用いるのである。即ち、測定により、｜Ｒｓ｜、Ｒｐ１、ＣＰＥ−Ｔ１、ＣＰＥ−Ｐ１、Ｒｐ２、ＣＰＥ−Ｔ２、ＣＰＥ−Ｐ２の各値が得られる。そして、その１種又は２種以上の値を組み合わせて電子写真用フェライトキャリアコア材品質の判断を行う。
【００３０】
例えば、このインピーダンス測定から得られる電気的な特性は、Ｒｐ１，ＣＰＥ−Ｔ１に含まれている。また、電子写真用フェライトキャリアコア材の一粒子ごとの状態に関する情報を示すと考えられるＣＰＥ−Ｐ１は、単位の無い無次元量であるため電子写真用フェライトキャリアコア材の組成による影響をある程度受けるとしても、粒径及び抵抗を無視して、電子写真用フェライトキャリアコア材粒子の一粒子ごとの状態（コア材粒子内部に存在する空隙等を含めて考えることも可能）の客観的評価指標とすることができる可能性が高い。
【００３１】
そして、電子写真用フェライトキャリアコア材は、鉄酸化物を主成分とするため、金属酸化物として取り扱える可能性が高い。そうであれば、電子写真用フェライトキャリアコア材の組成を無視して、電子写真用フェライトキャリアコア材の一粒子ごとの状態を評価できる可能性が高くなる。このようにして、インピーダンス測定から得られる値を、種々の粉体特性と照らし合わせて判断すると、従来の評価方法では見いだし得なかった電子写真用フェライトキャリアコア材の粉体又は粒子としての評価を行うことが出来る。
【００３２】
また、一般的に誤差成分として考えられがちな、｜Ｒｓ｜の値も、ある種の電子写真用フェライトキャリアコア材の場合には、一定の粉体特性の指標として使用できる場合がある。この概念は、全ての電子写真用フェライトキャリアコア材に適用できるものでもなく、且つ、交流抵抗測定の条件によっても変化する。特に、本件出願に係る電子写真用フェライトキャリアコア材の品質測定法は、測定対象物である電子写真用フェライトキャリアコア材の特質、測定対象項目に応じて、機動的に最適の測定条件を定めるべきである。即ち、上述の等価回路を用いた交流抵抗測定で得られる各値は、電子写真用フェライトキャリアコア材のいかなる粉体特性との相関があるかを、測定対象物である電子写真用フェライトキャリアコア材の種類毎に判断すべきである。
【００３３】
更に、ここで言う時定数のような緩和時間を評価し積極的に使用することも好ましい。本件出願に係る電子写真用フェライトキャリアコア材の品質測定法において、前記ナイキスト線図には、粒子の一粒子ごとの状態を表す時定数τ１と、粒子の粉体としての状態を表す時定数τ２とを分離して表せる場合がある。係る場合には、これらの時定数の関係を用いて電子写真用フェライトキャリアコア材品質の判断を行う事が好ましい。この時定数とは、図１に示すようなＣｏｌｅ−Ｃｏｌｅプロットの半円の頂点の周波数ｆ＝１／（２πｆ）の関係が成立し、数３の等価回路を前提とすると、粒子の表面付近の状態を表す時定数τ１がτ１＝Ｒｐ１×（ＣＰＥ−Ｔ１）、粒子の粉体としての状態を表す時定数τ２がτ２＝Ｒｐ２×（ＣＰＥ−Ｔ２）を用いる事になる。この時定数は、電子写真用フェライトキャリアコア材に電場を時間的に変化させながら印加したときの緩和時間を捉えたものであり、電子写真用フェライトキャリアコア材の電気的特性を顕著に示す指標として使用できる。
【００３４】
以下の実施例では、交流抵抗測定法を用いた電子写真用フェライトキャリアコア材の測定結果の一例を示す。
【実施例１】
【００３５】
この実施例では、交流抵抗測定法で得られた値と、従来の測定値であるＢＥＴ比表面積との相関関係の有無に関して述べる。交流抵抗測定には、図２に示す基本構成を備えるソーラトロン社（英国）製の１２６０型周波数応答解析装置（ＦＲＡ）２を用いて、１２９６型誘電体インターフェース３を接続して使用した。そして、図２のように、１２９６型誘電体インターフェース３から、当該交流抵抗測定装置のシールドボックス４の中のサンプルセル５の入力電極、出力電極、ガード電極の各電極に結線した。このとき、電子写真用フェライトキャリアコア材サンプル１（図２において位置を破線で示唆）がサンプルセル５に入っている。このときの電子写真用フェライトキャリアコア材は、マンガンとリチウムとを一定量含有したＭｎ−Ｌｉフェライトキャリアコア材である。なお、このときの測定データは、図２のパーソナルコンピュータ６に取り込んだ。
【００３６】
そして、測定データは、米国ナショナルインスツルメント社製  ＧＰ−ＩＢインターフェースを介して、１２６０型周波数応答解析装置（ＦＲＡ）２から自動的にパーソナルコンピュータ６内にデータを取り込むようにした。このとき、測定装置はＳＭａＲＴソフトウエアを用いて制御した。
【００３７】
更に、測定条件は、次の通りである。交流電圧は実効値５Ｖを印加し、周波数は１ＭＨｚから０．０１Ｈｚまでログスケールで１桁の間で６点ずつスイープさせた。そして、サンプルセルは静電容量２ｐＦで、サンプル容量１ｃｃの東陽テクニカ製ＬＦ−２１液体電極用を使用した。また、サンプルの電子写真用フェライトキャリアコア材は、重量（ｇ）＝「サンプルの見かけ密度（ｇ／ｃｃ）」×１ｃｃとなるように秤量し、サンプルセルに入れて測定するようにした。
【００３８】
以上のようにして、電子写真用フェライトキャリアコア材サンプルを測定した後、英国ソーラトロン社製解析ソフトウエアＺＶＩＥＷを用いて評価した。その評価内容を具体的に言えば、図３において示したように｜Ｒｓ｜，Ｒｐ１，ＣＰＥ１，Ｒｐ２，ＣＰＥ２で構成される等価回路を設定し、得られた測定データを数値演算（フィッティング）することにより、｜Ｒｓ｜、Ｒｐ１、ＣＰＥ−Ｔ１、ＣＰＥ−Ｐ１、Ｒｐ２、ＣＰＥ−Ｔ２、ＣＰＥ−Ｐ２を求めた。このとき、Ｃｏｌｅ−Ｃｏｌｅプロットで、円弧から大きく外れたサンプルについては、周波数を区切ることにより、｜Ｒｓ｜、Ｒｐ１、ＣＰＥ−Ｔ１、ＣＰＥ−Ｐ１、Ｒｐ２、ＣＰＥ−Ｔ２、ＣＰＥ−Ｐ２のそれぞれを、当該ソフトウエアＺＶＩＥＷの機能の一つである「ｉｎｓｔａｎｔ  ｆｉｔ」を行い各パラメーターの値を求めた。この結果を、図３及び図４に各種電子写真用フェライトキャリアコア材サンプルの評価結果として示した。なお、試料には、ＢＥＴ比表面積及び体積平均粒径の測定を行い、且つ、電子顕微鏡観察等も加えて、ほぼ確実なＢＥＴ比表面積及び体積平均粒径の測定が出来ていると考えられる７つの試料（試料１〜試料７）を抽出して使用した。
【比較例】
【００３９】
この比較例は、上記実施例１との対比用に用いる。前記試料１〜試料７の各電子写真用フェライトキャリアコア材サンプルに対して、５０Ｖ及び１０００Ｖの直流電圧を印加したときの抵抗値（Ω）を測定した。このときの測定方法は、次のとおりである。即ち、電極間間隔６．５ｍｍとして、非磁性の平行平板電極（１０ｍｍ×４０ｍｍ）を対向させ、その間に、試料２００ｍｇを秤量して充填する。そして、磁石（表面磁束密度：１５００Ｇａｕｓｓ、電極に接する磁石の面積：１０ｍｍ×３０ｍｍ）を平行平板電極に付けることにより電極間に試料を保持させ、５０Ｖ及び１０００Ｖの電圧を順に印加し、それぞれの印加電圧における抵抗を絶縁抵抗計（東亜ディケーケー株式会社製  ＳＭ−８２１０）にて測定した。なお、測定は、室温２５℃、湿度５５％に制御された恒温恒湿室内で行った。この結果を、図３及び図４に各種電子写真用フェライトキャリアコア材サンプルの評価結果として、実施例と対比可能なように示した。
【００４０】
実施例と比較例との対比：  最初に実施例の状況に関して述べる。ここで、図３として示した比較表を見る。この図３として示した表は、ＢＥＴ法で測定した比表面積と交流抵抗測定値との相関を見るため、ＢＥＴ比表面積の測定値を測定値順に並べている。そして、このときの体積平均粒径（Ｄ５０）の値を併記している。この結果、ＢＥＴ比表面積と、交流抵抗測定で得られた｜Ｒｓ｜の値と、ＢＥＴ比表面積との値とが良好な相関性を示すことが理解できる。このとき体積平均粒径の値の並び方を確認すると、｜Ｒｓ｜の値との相関性は見られない。即ち、交流抵抗測定で得られた｜Ｒｓ｜の値をみれば、粒径に依存することなく、電子写真用フェライトキャリアコア材粒子の一粒子ごとの状態の推測が付き、ＢＥＴ比表面積との相関が採れることが分かる。
【００４１】
次に、図４として示した比較表を見る。この図４として示した表は、体積平均粒径（Ｄ５０）と交流抵抗測定値との相関を見るため、体積平均粒径（Ｄ５０）の測定値を測定値順に並べている。そして、このときのＢＥＴ比表面積の値を併記している。ここから理解できるのは、交流抵抗測定で得られたＣＰＥ−Ｐ２、Ｒ２の各値と、体積平均粒径（Ｄ５０）との値とが良好な相関性を示すことである。即ち、交流抵抗測定で得られたＣＰＥ−Ｐ２、Ｒ２の各値をみれば、ＢＥＴ比表面積に依存することなく、電子写真用フェライトキャリアコア材粒子の粉体としての状態の推測が付き、体積平均粒径（Ｄ５０）との相関が採れることが分かる。
【００４２】
ここで、図３と図４とに示した比較例の直流抵抗値と、ＢＥＴ比表面積、体積平均粒径（Ｄ５０）との相関をみるに、いずれの特性とも直流抵抗自体の相関は認められない。従って、電子写真用フェライトキャリアコア材粉の粉体特性の評価に、直流抵抗法を用いることは困難であり、交流抵抗測定法を用いなければならないことが明らかとなる。
【実施例２】
【００４３】
この実施例では、従来の測定値であるＢＥＴ比表面積の値では表し得ない電子写真用フェライトキャリアコア材粒子の一粒子ごとの状態を、交流抵抗測定により得られる値が示すことを以下に述べる。
【００４４】
ここでは、体積平均粒径（Ｄ５０）の値が３５μｍで、ＢＥＴ比表面積が０．０８ｍ２／ｇの試料Ａを基準試料として用いた。この試料Ａの走査型電子顕微鏡観察像（倍率４５０）を、図５にしめす。このときの試料ＡのＣＰＥ−Ｐ１の値は、０．８９であった。
【００４５】
これに対し、体積平均粒径（Ｄ５０）の値が等しく、且つ、ＢＥＴ比表面積（０．２８ｍ２／ｇ）の値が全く異なる試料Ｂを準備した。この試料Ｂの走査型電子顕微鏡観察像（倍率４５０）を、図６にしめす。このときの試料ＢのＣＰＥ−Ｐ１の値は、０．８８であった。
【００４６】
更に、体積平均粒径（Ｄ５０）の値が等しく、且つ、試料Ａに近似したＢＥＴ比表面積（０．０７ｍ２／ｇ）の値を備える試料Ｃを準備した。この試料Ｃの走査型電子顕微鏡観察像（倍率４５０）を、図７にしめす。このときの試料ＣのＣＰＥ−Ｐ１の値は、０．９６であった。
【００４７】
ここで述べた内容を考えるに、試料ＡのＢＥＴ比表面積は０．０８ｍ２／ｇ、試料Ｂでは０．２８ｍ２／ｇであり、大きな差がある。しかし、試料Ａと試料ＢとのＣＰＥ−Ｐ１の値は、０．８８と０．８９と極めて近似したものになっている。ここで、双方の走査型電子顕微鏡観察像（図５、図６）を対比すると、電子写真用フェライトキャリアコア材粒子を構成する粒界の大きさが、ほぼ同一であり、ＣＰＥ−Ｐ１の値が、電子写真用フェライトキャリアコア材の一粒子ごとの状態を表わしていると言える。
【００４８】
更に、試料ＡのＢＥＴ比表面積は０．０８ｍ２／ｇ、試料Ｃでは０．０７ｍ２／ｇであり、その差は殆ど無いと言える。しかしながら、試料Ａと試料ＣとのＣＰＥ−Ｐ１の値を対比すると、試料ＡのＣＰＥ−Ｐ１の値は０．８９、試料ＣのＣＰＥ−Ｐ１の値は０．９６であり、明瞭な差異が認められる。ここで、双方の走査型電子顕微鏡観察像（図５、図７）を対比すると、双方の電子写真用フェライトキャリアコア材粒子の一粒子ごとの状態が全く異なっていることが容易にわかる。即ち、ＢＥＴ比表面積が表し得なかった電子写真用フェライトキャリアコア材粒子の一粒子ごとの状態を、ＣＰＥ−Ｐ１の値を使用すれば表せることが明らかと言える。
【産業上の利用可能性】
【００４９】
本件出願に係る電子写真用フェライトキャリアコア材の品質測定法は、交流抵抗測定法を用いることで、従来の粉体特性の代替え指標としての種々の交流抵抗値を得ることが出来る。その結果、電子写真用フェライトキャリアコア材粒子の粒子の一粒子ごとの状態と粒子の粉体としての状態との情報を同時且つ分離して取得することも可能になる。従って、粒子の一粒子ごとの状態と粒子の粉体としての状態とを、一回の分析によって、判断可能な複数の情報が得られるようになる。この結果、複数の粉体特性を測定するための、複数の分析手段、測定手段を用いる必要がなくなるという利点がある。
【図面の簡単な説明】
【００５０】
【図１】電子写真用フェライトキャリアコア材粉体のインピーダンス測定で得られるナイキスト線図（Ｃｏｌｅ−Ｃｏｌｅプロット）の一例である。
【図２】交流抵抗測定を行う際の周波数応答解析装置の基本構成を示す概念図である。
【図３】実施例の交流抵抗測定値と比較例の直流抵抗値とのＢＥＴ比表面積との相関関係を主体に対比した対比表である。
【図４】実施例の交流抵抗測定値と比較例の直流抵抗値との体積平均粒径（Ｄ５０）との相関関係を主体に対比した対比表である。
【図５】電子写真用フェライトキャリアコア材粒子（試料Ａ）の走査型電子顕微鏡観察像（倍率４５０）である。
【図６】電子写真用フェライトキャリアコア材粒子（試料Ｂ）の走査型電子顕微鏡観察像（倍率４５０）である。
【図７】電子写真用フェライトキャリアコア材粒子（試料Ｃ）の走査型電子顕微鏡観察像（倍率４５０）である。
【図１】
2008250225.tif 000007
【図２】
2008250225.tif 000008
【図３】
2008250225.tif 000009
【図４】
2008250225.tif 000010
【図５】
2008250225.tif 000011
【図６】
2008250225.tif 000012
【図７】
2008250225.tif 000013